【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
網膜の自家蛍光を測定するための装置であって、
フラビンタンパク質自家蛍光の励起を最大化しかつ非フラビンタンパク質自家蛍光の励起を最小化する励起光を放出するように構成された励起光源と、
前記励起光に反応して生成される網膜蛍光信号を表す単一画像を記録するように構成された画像キャプチャ装置であって、
フラビンタンパク質自家蛍光の通過を最大化しかつ前記網膜蛍光信号における非フラビンタンパク質自家蛍光を減衰させるように構成されたフィルタと、
前記網膜蛍光信号の強度を増大させるように構成されたイメージインテンシフィアと、を含む画像キャプチャ装置と、を備える装置。
【請求項２】
前記励起光源が水銀ランプを含む、請求項１記載の網膜自家蛍光測定装置。
【請求項３】
前記励起光源がレーザを含む、請求項１記載の網膜自家蛍光測定装置。
【請求項４】
前記励起光がダイクロイックリフレクタを使用して前記網膜に対して位置合わせされる、請求項１記載の網膜自家蛍光測定装置。
【請求項５】
前記励起光が光ファイバシステムを使用して前記網膜に対して位置合わせされる、請求項１記載の網膜自家蛍光測定装置。
【請求項６】
前記画像キャプチャ装置が電荷結合素子を含む、請求項１記載の網膜自家蛍光測定装置。
【請求項７】
前記画像キャプチャ装置がスチルカメラを含む、請求項１記載の網膜自家蛍光測定装置。
【請求項８】
前記画像キャプチャ装置が冷却電荷結合素子カメラを含む、請求項１記載の網膜自家蛍光測定装置。
【請求項９】
前記イメージインテンシフィアが少なくとも１００のゲインファクタを含む、請求項１記載の網膜自家蛍光測定装置。
【請求項１０】
前記画像キャプチャ装置が、前記網膜によって生成された前記網膜蛍光信号の単一画像をキャプチャするようにサイジングされた視野を有する、請求項１記載の網膜自家蛍光測定装置。
【請求項１１】
第２の保存されている網膜蛍光信号に対して前記網膜蛍光信号を分析するようにプログラムされたプロセッサをさらに備える、請求項１記載の網膜自家蛍光測定装置。
【請求項１２】
前記網膜蛍光信号を分析してコントラストの変化を判定するようにプログラムされたプロセッサをさらに備える、請求項１記載の網膜自家蛍光測定装置。
【請求項１３】
前記プロセッサが、前記網膜蛍光信号を分析して局所的なコントラストの変化を判定するようにプログラムされた、請求項１２記載の網膜自家蛍光測定装置。
【請求項１４】
前記プロセッサが、前記網膜蛍光信号を分析してコントラストの変化の速度を判定するようにプログラムされた、請求項１２記載の網膜自家蛍光測定装置。
【請求項１５】
網膜の代謝活性を非侵襲的に測定する方法であって、
画像検出装置を対象網膜に対して位置合わせするステップと、
励起光源を対象網膜に対して位置合わせするステップと、
前記励起光源によって生成された励起光を放出して前記対象網膜の網膜自家蛍光を誘起するステップと、
前記誘起された網膜自家蛍光を表す単一画像をキャプチャするステップと、
前記単一画像を強化して前記網膜自家蛍光の信号強度を増大させるステップと、
前記単一画像を分析してコントラストを判定するステップと、を備え、
前記励起光がフラビンタンパク質自家蛍光の励起を最大化しかつ非フラビンタンパク質自家蛍光の励起を最小化する方法。
【請求項１６】
前記励起光源を位置合わせする前記ステップが、ダイクロイックリフレクタを位置合わせして前記励起光を前記対象網膜に向けるステップを含む、請求項１５記載の網膜の代謝活性の非侵襲的測定方法。
【請求項１７】
前記励起光源を位置合わせする前記ステップが、光ファイバシステムを位置合わせして前記励起光を前記対象網膜に向けるステップを含む、請求項１５記載の網膜の代謝活性の非侵襲的測定方法。
【請求項１８】
前記画像検出装置を位置合わせする前記ステップが、電荷結合素子カメラを位置合わせするステップを含む、請求項１５記載の網膜の代謝活性の非侵襲的測定方法。
【請求項１９】
前記画像検出装置を位置合わせする前記ステップが、スチルカメラを位置合わせするステップを含む、請求項１５記載の網膜の代謝活性の非侵襲的測定方法。
【請求項２０】
前記画像検出装置を位置合わせする前記ステップが、イメージインテンシフィアを位置合わせするステップを含む、請求項１９記載の網膜の代謝活性の非侵襲的測定方法。
【請求項２１】
前記励起光源を位置合わせする前記ステップが、約４６０ｎｍの励起波長で前記励起光を生成するステップを含む、請求項１５記載の網膜の代謝活性の非侵襲的測定方法。
【請求項２２】
前記対象網膜に与えられる周辺光の量を低減するステップをさらに含む、請求項１５記載の網膜の代謝活性の非侵襲的測定方法。
【請求項２３】
フラビンタンパク質自家蛍光の通過を最大化しかつ非フラビンタンパク質自家蛍光を減衰させるように、前記誘起された網膜自家蛍光をフィルタ除去するステップをさらに含む、請求項１５記載の網膜の代謝活性の非侵襲的測定方法。
【請求項２４】
前記単一画像をキャプチャする前記ステップが、フラビンタンパク質に特有の自家蛍光を表す画像をキャプチャするステップを含む、請求項１５記載の網膜の代謝活性の非侵襲的測定方法。
【請求項２５】
前記単一画像を分析する前記ステップが、前記単一画像と第２の保存されている単一画像とを比較するステップを含む、請求項１５記載の網膜の代謝活性の非侵襲的測定方法。
【請求項２６】
前記単一画像を分析する前記ステップが、局所的なコントラストの変化を判定するステップを含む、請求項１５記載の網膜の代謝活性の非侵襲的測定方法。
【請求項２７】
前記単一画像を分析する前記ステップが、コントラストの変化の速度を判定するステップを含む、請求項１５記載の網膜の代謝活性の非侵襲的測定方法。
【請求項２８】
少なくとも１つの対物レンズを前記画像検出装置と前記対象網膜との間で位置合わせするステップをさらに含む、請求項１５記載の網膜の代謝活性の非侵襲的測定方法。
【請求項２９】
網膜の代謝活性を非侵襲的に測定するために標準的な画像形成装置をアップグレードする方法であって、
標準的な光源の代わりに、フラビンタンパク質自家蛍光の励起を最大化しかつ非フラビンタンパク質自家蛍光の励起を最小化するフィルタされた励起光を生成する励起光源を使用するステップと、
画像検出装置を位置合わせして、前記フィルタされた励起光に反応して生成された網膜自家蛍光を表す単一画像を検出するステップと、
インテンシフィアを使用して前記単一画像の強度を増大させるステップと、を備える方法。
【請求項３０】
フラビンタンパク質自家蛍光の通過を最大化しかつ前記網膜蛍光信号における非フラビンタンパク質自家蛍光を減衰させるようにフィルタを前記画像検出装置と対象網膜との間で位置合わせするステップをさらに備える、請求項２９記載の標準画像形成装置のアップグレード方法。
【請求項３１】
前記励起光源を提供する前記ステップが水銀ランプを提供するステップを含む、請求項２９記載の標準画像形成装置のアップグレード方法。
【請求項３２】
前記励起光源を提供する前記ステップがレーザを提供するステップを含む、請求項２９記載の標準画像形成装置のアップグレード方法。
【請求項３３】
前記フィルタされた励起光を生成する前記ステップが、約４６０ｎｍの波長で光を発生させるステップを含む、請求項２９記載の標準画像形成装置のアップグレード方法。
【請求項３４】
少なくとも１つの対物レンズを位置合わせして前記検出された単一画像をスケーリングするステップをさらに備える、請求項２９記載の標準画像形成装置のアップグレード方法。
【請求項３５】
前記励起光源がフラビンタンパク質自家蛍光の励起に対応したフィルタ範囲を有する励起フィルタを含む、請求項１に記載の網膜の自家蛍光を測定するための装置。
【手続補正２】
【補正対象書類名】図面
【補正対象項目名】図２
【補正方法】変更
【補正の内容】
【図２】
2007521920.tif 000001